(57)【特許請求の範囲】
【請求項１】
表示画面上に画像を表示する表示部と、
前記表示部と離隔した位置に配置され、前記表示部の表示画面上で予め設定された操作を指示する画面操作スイッチ群と、
前記画面操作スイッチ群の指示に従って前記表示画面上の複数の画面を切り替えて表示するとともに、表示画面上で有効な画面操作スイッチの形状を示す画像を前記表示画面上に表示する制御を行う表示制御部と、
を備え、
前記表示制御部は、特定の表示画面に切り替えられた場合、該特定の表示画面に対し、画面操作スイッチ群内の特定した画面操作スイッチに該特定した画面操作スイッチの機能と異なり他の画面操作スイッチの機能とは異なる機能を割り当て、該特定した画面操作スイッチの形状を示す画像に隣接配置させて該異なる機能を示す画像を表示するとともに、該特定した画面操作スイッチの形状を示す画像と該異なる機能を示す画像との間を結合する画像を表示することを特徴とする作業機械の表示装置。
【請求項２】
前記表示制御部は、さらに前記異なる機能を示す画像に対応する画像を該異なる機能が生じる箇所に表示することを特徴とする請求項１に記載の作業機械の表示装置。
【請求項３】
前記表示制御部は、前記表示画面上で有効な画面操作スイッチの形状を示す画像の配置順序を、前記画面操作スイッチ群の配置順序に対応させて配置することを特徴とする請求項１または２に記載の作業機械の表示装置。
【請求項４】
前記表示制御部は、前記異なる機能を示す画像を強調表示することを特徴とする請求項１〜３のいずれか一つに記載の作業機械の表示装置。
【請求項５】
前記表示制御部は、前記複数の画面をタブ画面によって表示し、前記異なる機能を、タブ画面を１つシフトさせるタブ画面シフト機能として割り当て、巡回する１方向シフトによってタブ画面を切り替えることを特徴とする請求項１〜４のいずれか一つに記載の作業機械の表示装置。
【請求項６】
前記特定した画面操作スイッチは、標準画面からユーザメニュー画面への遷移を指示するメニュースイッチであることを特徴とする請求項１〜５のいずれか一つに記載の作業機械の表示装置。
【請求項７】
前記他の画面操作スイッチには、上方向および下方向へのシフトスイッチが含まれ、
前記タブ画面内では、前記シフトスイッチの指示によって上下方向に配置された選択項目が選択表示されることを特徴とする請求項５に記載の作業機械の表示装置。
【請求項８】
ハンドルが前面に配置されるコンソール上の表示画面に画像を表示する表示部と、
前記コンソール上であって前記表示部と離隔した位置に配置され、前記表示部の表示画面上で予め設定された操作を指示する画面操作スイッチ群と、
前記画面操作スイッチ群の指示に従って前記表示画面上の複数の画面をタブ画面で切り替えて表示するとともに、表示画面上で有効な画面操作スイッチの形状を示す画像を前記表示画面上に表示する制御を行う表示制御部と、
を備え、
前記表示制御部は、前記タブ画面に切り替えられた場合、該タブ画面に対し、画面操作スイッチ群内の特定した画面操作スイッチに該特定した画面操作スイッチの機能と異なり他の画面操作スイッチの機能とは異なるタブ画面シフト機能を割り当て、該特定した画面操作スイッチの形状を示す画像に隣接配置させて前記タブ画面シフト機能を示す画像を表示することを特徴とする作業機械の表示装置。
【発明の詳細な説明】
【技術分野】
【０００１】
この発明は、ホイールローダなどのホイール系の作業機械であってハンドルを有する作業機械の表示装置に関するものである。
【背景技術】
【０００２】
従来から、作業機械では、作業状態をモニタリングするための表示装置が設けられている。この表示装置は、通常、液晶ディスプレイなどによって実現される表示部とスイッチ群からなる操作部とが上下に配置されて一体形成され、あるいはタッチパネルなどによって一体形成される（特許文献１，２参照）。
【先行技術文献】
【特許文献】
【０００３】
【特許文献１】特開２００８−６２７９１号公報
【特許文献２】特開２００９−２５７３２３号公報
【発明の概要】
【発明が解決しようとする課題】
【０００４】
ところで、ホイールローダやダンプトラックなどのホイール系の作業機械では、運転席前面に設けられたコンソール前面にハンドルが設置される。このため、ホイール系の作業機械では、このコンソール前面に表示部を設ける場合、コンソール前面にハンドルが配置されることから、一体形成された表示装置を設けると、操作が困難となるため、表示部と操作部とが分離されてコンソール上に配置される。そして、表示部は、コンソール中央上部に設けられ、操作部は、コンソールの右下あるいは左下に設けられる。
【０００５】
一方、操作部のスイッチ数は、少ない方が良いが、スイッチ数が少ないと同一スイッチを異なる操作スイッチとして重複使用するため、画面操作が複雑になってしまう。
【０００６】
本発明は、上記に鑑みてなされたものであって、表示部と操作部とが分離された場合であって操作部のスイッチ数が少ない場合であっても画面操作が容易な作業機械の表示装置を提供することを目的とする。
【課題を解決するための手段】
【０００７】
上述した課題を解決し、目的を達成するために、この発明にかかる作業機械の表示装置は、表示画面上に画像を表示する表示部と、前記表示部と離隔した位置に配置され、前記表示部の表示画面上で予め設定された操作を指示する画面操作スイッチ群と、前記画面操作スイッチ群の指示に従って前記表示画面上の複数の画面を切り替えて表示するとともに、表示画面上で有効な画面操作スイッチの形状を示す画像を前記表示画面上に表示する制御を行う表示制御部と、を備え、前記表示制御部は、特定の表示画面に切り替えられた場合、該特定の表示画面に対し、画面操作スイッチ群内の特定した画面操作スイッチに該特定した画面操作スイッチの機能と異なり他の画面操作スイッチの機能とは異なる機能を割り当て、該特定した画面操作スイッチの形状を示す画像に隣接配置させて該異なる機能を示す画像を表示するとともに、該特定した画面操作スイッチの形状を示す画像と該異なる機能を示す画像との間を結合する画像を表示することを特徴とする。
【０００８】
また、この発明にかかる作業機械の表示装置は、上記の発明において、前記表示制御部は、さらに前記異なる機能を示す画像に対応する画像を該異なる機能が生じる箇所に表示することを特徴とする。
【０００９】
また、この発明にかかる作業機械の表示装置は、上記の発明において、前記表示制御部は、前記表示画面上で有効な画面操作スイッチの形状を示す画像の配置順序を、前記画面操作スイッチ群の配置順序に対応させて配置することを特徴とする。
【００１０】
また、この発明にかかる作業機械の表示装置は、上記の発明において、前記表示制御部は、前記異なる機能を示す画像を強調表示することを特徴とする。
【００１１】
また、この発明にかかる作業機械の表示装置は、上記の発明において、前記表示制御部は、前記複数の画面をタブ画面によって表示し、前記異なる機能を、タブ画面を１つシフトさせるタブ画面シフト機能として割り当て、巡回する１方向シフトによってタブ画面を切り替えることを特徴とする。
【００１２】
また、この発明にかかる作業機械の表示装置は、上記の発明において、前記特定した画面操作スイッチは、標準画面からユーザメニュー画面への遷移を指示するメニュースイッチであることを特徴とする。
【００１３】
また、この発明にかかる作業機械の表示装置は、上記の発明において、前記他の画面操作スイッチには、上方向および下方向へのシフトスイッチが含まれ、前記タブ画面内では、前記シフトスイッチの指示によって上下方向に配置された選択項目が選択表示されることを特徴とする。
【００１４】
また、この発明にかかる作業機械の表示装置は、ハンドルが前面に配置されるコンソール上の表示画面に画像を表示する表示部と、前記コンソール上であって前記表示部と離隔した位置に配置され、前記表示部の表示画面上で予め設定された操作を指示する画面操作スイッチ群と、前記画面操作スイッチ群の指示に従って前記表示画面上の複数の画面をタブ画面で切り替えて表示するとともに、表示画面上で有効な画面操作スイッチの形状を示す画像を前記表示画面上に表示する制御を行う表示制御部と、を備え、前記表示制御部は、前記タブ画面に切り替えられた場合、該タブ画面に対し、画面操作スイッチ群内の特定した画面操作スイッチに該特定した画面操作スイッチの機能と異なり他の画面操作スイッチの機能とは異なるタブ画面シフト機能を割り当て、該特定した画面操作スイッチの形状を示す画像に隣接配置させて前記タブ画面シフト機能を示す画像を表示することを特徴とする。
【発明の効果】
【００１５】
この発明によれば、表示制御部が、特定の表示画面に切り替えられた場合、該特定の表示画面に対し、画面操作スイッチ群内の特定した画面操作スイッチに該特定した画面操作スイッチの機能と異なり他の画面操作スイッチの機能とは異なる機能を割り当て、該特定した画面操作スイッチの形状を示す画像に隣接配置させて該異なる機能を示す画像を表示するようにしているので、特定した画面操作スイッチと該特定した画面操作スイッチの割り当てられた機能との関係を容易に認識することができ、表示部と画面操作スイッチ群とが分離された場合であって画面操作スイッチのスイッチ数が少ない場合であっても画面操作が容易となる。
【図面の簡単な説明】
【００１６】
【図１】図１は、運転席前面に配置されるコンソールの概要構成を示す外観図である。
【図２】図２は、表示部およびスイッチパネルを有した表示装置を中心とした表示系の構成を示すブロック図である。
【図３】図３は、表示部に表示される標準画面を示す図である。
【図４】図４は、スイッチパネルの外観構成を示す図である。
【図５】図５は、表示部における画面遷移を示す遷移図である。
【図６】図６は、タブメニュー選択画面におけるメニュースイッチを用いた選択大項目の遷移を示す遷移図である。
【図７】図７は、タブメニュー選択画面における下シフトスイッチあるいは上シフトスイッチを用いた選択中項目の遷移を示す遷移図である。
【図８】図８は、サブ選択画面とポップアップ画面との遷移を示す遷移図である。
【図９】図９は、画面調整のタブメニュー選択画面から選択されたサブ選択画面を示す図である。
【図１０】図１０は、メニュースイッチに対応した画像とメニュースイッチに対応した機能を示す画像との配置関係を示す図である。
【発明を実施するための形態】
【００１７】
以下、添付図面を参照してこの発明を実施するための形態について説明する。
【００１８】
図１は、運転席前面に配置されるコンソールの概要構成を示す外観図である。図１に示すように、コンソール１の前面下部から前面であって運転席の前方にハンドル２が配置される。コンソール１の上部左には液晶ディスプレイによって実現される表示部１１が配置される。コンソール１の上部右にはメータユニット１３が配置される。表示部１１とメータユニットとの上部には、ＬＥＤユニット１２が配置される。また、コンソール１の上部左右には、エアコンの吹出口１６ａ，１６ｂがそれぞれ配置される。一方、コンソール１の下部右には、スイッチパネル１４が配置される。また、コンソール１の下部左には、スイッチ群１５が配置される。このスイッチパネル１４およびスイッチ群１５は、運転者の右手および左手による操作時にハンドル２が邪魔にならないように配置されている。さらに、表示部１１、ＬＥＤユニット１２，およびメータユニット１３は、ハンドル２が配置された状態で、運転者が前面方向に容易に見やすい位置に配置されている。なお、スイッチパネル１４は、コンソール１の下部の左右どちらに配置してもよい。
【００１９】
ＬＥＤユニット１２は、左から、集中警告灯、パーキングブレーキコーションランプ、方向指示パイロットランプ（左）、前照灯上向きパイロットランプ、方向指示パイロットランプ（右）、ブレーキアキュムレータ油圧コーションランプ、ライトパイロットランプが配列され、ＬＥＤ点灯等の表示が行われる。メータユニット１３は、中央にスピードメータが配置され、このスピードメータの周囲にタコメータが配置される。図１では、スピードメータがデジタル表示され、タコメータは針式で表示されている。スイッチパネル１４は、エアコンに対する操作スイッチおよび表示部１１に対する操作スイッチを有する。スイッチ群１５は、ライトスイッチやワイパースイッチなどのスイッチ群である。
【００２０】
図２は、上述した表示部１１およびスイッチパネル１４を有した表示装置を中心とした表示系の構成を示すブロック図である。表示装置１０は、上述した表示部１１と操作部としてのスイッチパネル１４とを有する。表示装置１０は、さらに、制御部１８の制御のもとに、表示部１１の表示制御を行う表示制御部１７を有する。表示装置１０には、上述したスイッチ群１５、ＬＥＤユニット１２、およびメータユニット１３が接続される。また、表示装置１０には、直接、センサ群２１およびアクチュエータ群２２が接続されてもよい。さらに、表示装置１０には、ＣＡＮ等の通信ラインを介して、エンジンコントローラ３０および車体コントローラ４０が接続される。エンジンコントローラ３０および車体コントローラ４０には、それぞれ、センサ群３１およびアクチュエータ群３２と、センサ群４１およびアクチュエータ群４２が接続される。エンジンコントローラ３０は、たとえばエンジンの燃焼室への燃料噴射量をセンサ群３１の検出結果をもとに制御するコントローラである。車体コントローラ４０は、車体内における駆動部、たとえばエンジンによって駆動される油圧ポンプの斜板の傾斜角度を制御するコントローラである。なお、センサ群３１には、エンジン回転センサや車速センサなどが含まれる。
【００２１】
制御部１８は、スイッチパネル１４、センサ群２１，３１，４１、およびスイッチ群１５から入力された情報を、表示部１１、ＬＥＤユニット１２、およびメータユニット１３に表示させる。
【００２２】
ここで、図３を参照して、表示部１１に表示される標準画面について説明する。図３に示すように、標準画面Ｌ０では、左上にエンジン水温計が表示され、左下にトルコン油温計が表示され、右上に作動油温計が表示され、右下に燃料計が表示される。また、標準画面Ｌ０の中央には、エアコンの状態が表示され、中央左に燃費の状況をインジケータで表したエコゲージ、中央右にシフトポジションパイロットランプ、その上にシフトインジケータが表示される。さらに、標準画面Ｌ０では、中央上に時計が表示され、中央下部に各種パイロットランプが表示される。各種パイロットランプとして、セミオート掘削パイロットランプ、オートグリースパイロットランプ、走行ダンパパイロットランプ、ＲＰＭセットパイロットランプ、リモートポジションパイロットランプ、ＤＰＦ（Diesel・Particulate・Filter）ランプ、エマージェンシステアリングパイロットランプ、出力モードパイロットランプ、シフトホールドパイロットランプ、ロックアップパイロットランプ、オートシフトパイロットランプ、ファン逆転パイロットランプ、予熱パイロットランプなどが配列される。また、標準画面Ｌ０の下部中央左には、作業機械の整備の基準となる実稼動時間を表すサービスメータが配置される。さらに、標準画面Ｌ０の下部中央右には、総走行距離の積算値を表すオドメータが配置される。なお、標準画面Ｌ０は、少なくともエンジン水温計、燃料計、およびサービスメータが表示されるものであればよい。
【００２３】
さらに、図４を参照して、スイッチパネル１４について説明する。図４において、スイッチＳＷ１〜ＳＷ１０は、スイッチパネル１４の上部に配列されるエアコンスイッチである。一方、スイッチＳＷ１１〜ＳＷ１５はスイッチパネル１４の下部に配列され、表示部１１の画面を操作する画面操作スイッチである。スイッチＳＷ１は、風量上昇設定スイッチである。スイッチＳＷ２は、温度上昇設定スイッチである。スイッチＳＷ３は、オートスイッチである。スイッチＳＷ４は、風量下降設定スイッチである。スイッチＳＷ５は、温度下降設定スイッチである。スイッチＳＷ６は、Ａ／Ｃスイッチである。スイッチＳＷ７は、内外気切換スイッチである。スイッチＳＷ８は、送風モード切換スイッチである。スイッチＳＷ９は、オフスイッチである。スイッチＳＷ１０は、デフロスタースイッチである。一方、スイッチＳＷ１１は、上シフトスイッチである。スイッチＳＷ１２は、下シフトスイッチである。スイッチＳＷ１３は、戻りスイッチである。スイッチＳＷ１４は、決定スイッチである。スイッチＳＷ１５は、メニュースイッチである。
【００２４】
つぎに、図５を参照して、表示部１１の画面遷移について説明する。この画面遷移は、表示制御部１７によって行われる。まず、キースイッチＫ１がオンになって電源が入力されると、図３に示した標準画面Ｌ０が表示部１１に表示される。ここで、車速＝０、すなわち作業機械が停止している状態でメニュースイッチＳＷ１５が押下されると、下位層の画面であるタブメニュー選択画面Ｌ１が表示部１１に表示される。車速＝０を条件としたのは、安全上、作業機械の走行中に表示部１１の画面操作を行わせないためである。
【００２５】
タブメニュー選択画面Ｌ１は、大項目の選択を行うためにタブ画面としている。また、選択されたタブ画面内では、上シフトスイッチＳＷ１１と下シフトスイッチＳＷ１２とをもちいて中項目の選択項目を選択できるようにしている。大項目の選択切換を行う場合、メニュースイッチＳＷ１５が右へのタブ画面移行に対応したスイッチとして機能し、メニュースイッチＳＷ１５を押下する毎に、タブ画面が切り換えられる。そして、メニュースイッチＳＷ１５がタブ画面切換として機能する画面表示を表示部１１上に行う。
【００２６】
このタブメニュー選択画面Ｌ１を開いているときに、車速＝０でなくなった場合、すなわち作業機械が走行した場合、あるいは戻りスイッチＳＷ１３を押下した場合、あるいはスイッチＳＷ１〜ＳＷ１５の全スイッチの無操作状態が予め設定されている所定時間、たとえば、３０秒経過した場合、標準画面Ｌ０に戻る。なお、現在の表示画面でメニュースイッチＳＷ１５が選択可能な画面のときは、このメニュースイッチＳＷ１５を含んだ全スイッチＳＷ１〜ＳＷ１５の無操作状態が所定時間経過することが標準画面Ｌ０への戻り条件の１つとなり、現在の表示画面でメニュースイッチＳＷ１５が選択不可能な画面のときは、このメニュースイッチＳＷ１５以外の全スイッチＳＷ１〜ＳＷ１４の無操作状態が所定時間経過することが標準画面Ｌ０への戻り条件の１つとなる。
【００２７】
タブメニュー選択画面Ｌ１を開いているときに、決定スイッチＳＷ１４が押下された場合、小項目を選択するサブ選択画面Ｌ２，Ｌ４に遷移する。サブ選択画面Ｌ２が表示されているときに、決定スイッチＳＷ１４が押下されると、サブ選択画面Ｌ２上で選択された小項目に対するポップアップ画面Ｌ３がサブ選択画面Ｌ２内に表示される。このサブ選択画面Ｌ２上で選択した細項目に対して決定スイッチＳＷ１４を押下して設定した場合、あるいは戻りスイッチＳＷ１３を押下した場合、あるいはメニュースイッチＳＷ１５以外の画面操作スイッチＳＷ１１〜ＳＷ１４の無操作状態が３０秒以上経過した場合、上位のサブ選択画面Ｌ２に遷移する。また、サブ選択画面Ｌ２を表示した状態で戻りスイッチＳＷ１３が押下された場合、あるいはメニュースイッチＳＷ１５以外の全スイッチＳＷ１〜ＳＷ１４の無操作状態が３０秒以上経過した場合、上位のタブメニュー選択画面Ｌ１に遷移する。
【００２８】
一方、サブ選択画面Ｌ４が表示されると、上シフトスイッチＳＷ１１と下シフトスイッチＳＷ１２とをもちいて小項目の選択を行うことができる。また、サブ選択画面Ｌ４によっては、上シフトスイッチＳＷ１１と下シフトスイッチＳＷ１２とをもちいて設定調整を行うことができる。この場合、設定調整対象に対応した画像部分に上シフトスイッチＳＷ１１および下シフトスイッチＳＷ１２に対応した画像を配置する。さらに、サブ選択画面Ｌ４が表示された状態で、メニュースイッチＳＷ１５が調整対象のリセット動作を指示するスイッチに対応させ、メニュースイッチＳＷ１５の押下によって調整対象をリセットすることができる。このリセット位置を示す記号などを画面上に表示し、この記号とメニュースイッチＳＷ１５とが対応している画像表示も行う。
【００２９】
サブ選択画面Ｌ４が開いているときに、決定スイッチＳＷ１４が押下された場合、あるいは戻りスイッチＳＷ１３が押下された場合、さらには、全スイッチＳＷ１〜ＳＷ１５の無操作状態が３０秒以上経過した場合、上位のタブメニュー選択画面Ｌ１に遷移する。
【００３０】
さらに、具体例を示して表示部１１の画面遷移および設定処理について説明する。図６において、標準画面Ｌ０が表示された状態で、車速＝０でメニュースイッチＳＷ１５が押下されると、サブメニュー選択画面Ｌ１のうちのサブメニュー選択画面Ｌ１１が初期表示される。ここで、サブメニュー選択画面Ｌ１１では、５つのタブが設けられ、省エネガイダンスタブ、車体設定／情報タブ、ＤＰＦ再生タブ、メンテナンスタブ、モニタ設定タブがあり、それぞれのタブが、省エネガイダンス、車体設定／情報、ＤＰＦ再生、メンテナンス、モニタ設定の内容を示す画像とともに画面上部で左から順次描かれている。なお、初期画面では、省エネガイダンスタブが選択された状態として表示される。
【００３１】
ここで、上シフトスイッチＳＷ１１は、タブメニュー選択画面Ｌ１１上で中項目の選択状態を上の中項目の選択状態に遷移させるスイッチである。また、下シフトスイッチＳＷ１２は、タブメニュー選択画面Ｌ１１上で中項目の選択状態を下の中項目の選択状態に遷移させるスイッチである。さらに、戻りスイッチＳＷ１３は、タブメニュー選択画面Ｌ１１から標準画面Ｌ０に遷移させるスイッチである。また、決定スイッチＳＷ１４は、選択状態の中項目を選択してサブ選択画面Ｌ２，Ｌ４に遷移させるスイッチである。一方、メニュースイッチＳＷ１５は、標準画面Ｌ０からタブメニュー選択画面に遷移させるためのスイッチであり、現在のタブメニュー選択画面では使用されないスイッチである。すなわち、画面操作スイッチＳＷ１１〜ＳＷ１５のうち、画面操作スイッチＳＷ１１〜ＳＷ１４は、タブメニュー選択画面Ｌ１で使用されるスイッチであり、画面操作スイッチ（メニュースイッチ）ＳＷ１５は、タブメニュー選択画面Ｌ１で使用されないスイッチである。
【００３２】
そこで、このメニュースイッチＳＷ１５の機能を、タブ画面変更を示す右シフトスイッチ機能に割り当てて対応付け、タブメニュー選択画面Ｌ１が表示されている場合、メニュースイッチＳＷ１５を、タブ画面変更を示す右シフトスイッチとして使用する。このメニュースイッチＳＷ１５のタブ画面変更を示す右シフトスイッチ機能への対応付けを画像表示するとともに、画像上におけるタブのシフト位置を示すようにしている。タブメニュー選択画面Ｌ１の下部には、スイッチパネル１４上での画面操作スイッチの配置に対応して左からスイッチＳＷ１１〜ＳＷ１５に対応したスイッチ形状の画像Ｍ１〜Ｍ５を表示する。なお、タブメニュー選択画面Ｌ１の下部に表示される画像Ｍ１〜Ｍ５は、このタブメニュー選択画面Ｌ１で使用される選択対象となる画像Ｍ１〜Ｍ５のみが表示される。すなわち、タブメニュー選択画面Ｌ１に限らず、現在表示されている画面の下部に表示されるスイッチ対応の画像は、現在表示されている画面で選択対象となるスイッチのみが画面上に表示される。このように、表示制御部１７は、特定の表示画面に対し、画面操作スイッチ群内の特定した画面操作スイッチに該特定した画面操作スイッチの機能と異なり、他の画面操作スイッチの機能とは異なる機能、たとえば、タブ画面変更を示す右シフトスイッチ機能を割り当てる。
【００３３】
ここで、メニュースイッチＳＷ１５に対応するスイッチ形状の画像Ｍ５に隣接してタブ画面変更を示す画像Ｍ１０を表示する。これによって、ユーザは、メニュースイッチＳＷ１５がタブ画面変更のスイッチに対応していることを知ることができる。また、この画像Ｍ１０は、タブ画面変更の方向を示す三角形状の画像としている。そして、この画像Ｍ１０に対応した画像Ｍ１１をタブのインデックス間に配置し、この画像Ｍ１１によって次に切り換えられるタブとその方向を知ることができる。なお、画像Ｍ１１に代えて、あるいは画像Ｍ１１と重複して、選択状態のタブ画面内に、タブ画面変更の方向を示す情報を表示するようにしてもよい。
【００３４】
図６では、タブメニュー選択画面Ｌ１１の状態で、メニュースイッチＳＷ１５を押下すると、順次右のタブ画面（タブメニュー選択画面Ｌ１１→Ｌ１２→Ｌ１３→Ｌ１４→Ｌ１５）に切り替わり、再び、タブメニュー選択画面Ｌ１１に遷移する。このタブメニュー選択画面の切換とともに、タブ間の画像Ｍ１１もシフトしていく。
【００３５】
このタブメニュー選択画面Ｌ１では、選択タブを大項目とすると、中項目の選択項目がタブ内に上下に配置されている。たとえば、モニタ設定画面であるタブメニュー選択画面Ｌ１５では、上からたとえば、リアービューモニタ設定、メータ表示選択、画面調整、時計調整、言語設定、ＩＤキー情報の６つの選択中項目が配置されている。したがって、タブメニュー選択画面Ｌ１５で、下シフトスイッチＳＷ１２を押下していくと、順次、下に位置している中項目が選択状態となって表示される。すなわち、タブメニュー選択画面は、Ｌ１５→Ｌ１５１→Ｌ１５２→Ｌ１５３→Ｌ１５４→Ｌ１５５に順次遷移する。ここで、１つのタブメニュー選択画面Ｌ１５での選択中項目は、５つまで表示可能であり、６つの選択中項目は全て表示されないが、選択状態の中項目が最下位に表示されている場合（Ｌ１５４）、下シフトスイッチＳＷ１２をさらに押下すると各中項目が揃って１中項目分、上にシフトし、最下位に表示されている下の位置の中項目が表示状態かつ選択状態となる（Ｌ１５５）。なお、上シフトスイッチＳＷ１１を操作しても、選択中項目が逆の順序で選択状態となる。
【００３６】
このようにして、タブメニュー選択画面Ｌ１では、メニュースイッチＳＷ１５と、下シフトスイッチＳＷ１２あるいは上シフトスイッチＳＷ１１とを用いて、左右のタブの大項目と上下の中項目とのマトリックのうちの１つの中項目を選択することができる。この際、タブ画面変更スイッチ対応のスイッチが無くても、このタブメニュー選択画面Ｌ１で用いられないメニュースイッチＳＷ１５をタブ画面変更スイッチとして機能させることによって、少ない画面操作スイッチを効率良く用いることができる。
【００３７】
また、タブメニュー選択画面Ｌ１が表示された状態で、メニュースイッチＳＷ１５に対応づけられたタブ画面変更のスイッチ機能を示す画像Ｍ１０を、メニュースイッチＳＷ１５に対応した画像Ｍ５に隣接配置して対応関係を表示しているので、メニュースイッチＳＷ１５とタブ画面変更のスイッチ機能との対応関係を容易に知ることができる。さらに、画面変更のスイッチ機能の画像Ｍ１０と画面上の対応箇所に表示される画像Ｍ１１とを同じ画像あるいは同じ内容の画像情報表示としているので、一層、メニュースイッチＳＷ１５とタブ画面変更のスイッチ機能との対応関係を容易に知ることができる。
【００３８】
さらに、現在の表示画面上で使用される画面操作スイッチＳＷ１１〜ＳＷ１５に対応した画像Ｍ１〜Ｍ５を表示させる際、スイッチパネル１４の配置に対応して表示するとともに、現在の表示画面上で必要のない画面操作スイッチの画像領域のスペースを確保した状態で配置して表示するようにしている。たとえば、現在の表示画面で画面操作スイッチＳＷ１１〜ＳＷ１５のうち画面操作スイッチＳＷ１４が不要な場合、画像Ｍ１〜Ｍ３の表示後、画像Ｍ４を表示すべき表示領域を空けた状態で画像Ｍ５を表示する。このような表示制御を行うことによって、使用される画面操作スイッチに対する誤操作を低減することができる。もちろん、画像Ｍ１〜Ｍ５は、スイッチパネル１４に示された画像とほぼ同じ画像を表示している。
【００３９】
特に、コンソール１の前面に表示部１１を配置し、表示部１１から離隔してコンソール１の左右でハンドル２位置から離れた位置にスイッチパネル１４を配置した場合であっても、上述した画面上のスイッチガイドをもとに、少ない画面操作スイッチのみで多種の画面操作を行うことができる。
【００４０】
なお、表示制御部１７は、各表示画面ごとに、各画面操作スイッチＳＷ１１〜ＳＷ１５のスイッチ機能と、表示画面上に表示する画像Ｍ１〜Ｍ５および画像Ｍ１０，Ｍ１１，Ｍ２１，Ｍ２２，Ｍ３０，Ｍ３１とを対応づけてメモリなどに保持し、各表示画面ごとに、対応するスイッチ機能を割り当てるとともに対応画像を表示画面上の所望箇所に表示する制御を行う。このスイッチ機能には、各画面操作スイッチＳＷ１１〜ＳＷ１５に予め設定されたデフォルトのスイッチ機能のほかに、別に割り当てられるスイッチ機能、たとえば上述したタブ画面変更の右スイッチ機能などが含まれる。また、上述した画像Ｍ１〜Ｍ５は、スイッチパネル１４の画像と同じ画像とすることが好ましい。そして、別に割り当てられるスイッチ機能を画像操作スイッチに割り当てる場合、表示画面上で、この画面操作スイッチの画像に隣接させて、別に割り当てられるスイッチ機能の画像を配置することが好ましい。
【００４１】
つぎに、タブメニュー選択画面Ｌ１からサブ選択画面Ｌ２さらにポップアップ画面Ｌ３への遷移について具体的に説明する。図８に示すように、たとえば、タブメニュー選択画面Ｌ１５１の状態（中項目＝モニタ表示選択の状態）で決定スイッチＳＷ１４が押下されると、サブ選択画面Ｌ２１に遷移する。サブ選択画面Ｌ２１は、決定スイッチＳＷ１４が押下されたときの初期画面であり、画面上、上下に配置された２つの小項目（左側メータ表示選択，右側メータ表示選択）のうち、左側メータ表示選択の小項目が選択状態となっている。ここで、下シフトスイッチＳＷ１２あるいは上シフトスイッチＳＷ１１を押下することによって、いずれかの小項目を巡回して選択することができる。
【００４２】
そして、この小項目が選択された状態で決定スイッチＳＷ１４が押下されると、ポップアップ画面が表示される。たとえば、左側メータ表示選択の小項目が選択された画面で決定スイッチＳＷ１４が押下されると、この画面内に、ポップアップ画面ＬＰ３１が表示される。ポップアップ画面ＬＰ３１では、左側メータ表示選択に対応した３つの細項目（サービスメータ、オドメータ、時計）が上から下に順次配置されて表示される。同様に、右側メータ表示選択の小項目が選択された画面で決定スイッチＳＷ１４が押下されると、この画面内に、ポップアップ画面ＬＰ３２が表示される。ポップアップ画面ＬＰ３２では、右側メータ表示選択に対応した４つの細項目（燃費計、時計、オドメータ、サービスメータ）が上から下に順次配置されて表示される。各ポップアップ画面ＬＰ３１，ＬＰ３２内では、下シフトスイッチＳＷ１２あるいは上シフトスイッチＳＷ１１を押下することによって、任意の細項目を選択状態とすることができる。この選択状態で決定スイッチＳＷ１４を押下することによってサブ選択画面Ｌ２に戻ることができる。
【００４３】
つぎに、タブメニュー選択画面Ｌ１からサブ選択画面Ｌ４への遷移について具体的に説明する。図９に示すように、たとえば、タブメニュー選択画面Ｌ１５２の状態（中項目＝画面調整の状態）で決定スイッチＳＷ１４が押下されると、サブ選択画面Ｌ４に遷移する。サブ選択画面Ｌ４は、画面調整の画面であり、画面中央に明るさ（輝度）の大きさをハッチング付きセグメントで示すバー表示が横に表示され、このバーの端部に輝度を大きく設定する上シフトスイッチＳＷ１１に対応するスイッチ形状の画像Ｍ２１と輝度を小さく設定する下シフトスイッチＳＷ１２に対応するスイッチ形状の画像Ｍ２２とが表示される。すなわち、通常、上シフトスイッチＳＷ１１に対応する画像Ｍ１と下シフトスイッチＳＷ２１に対応する画像Ｍ２とは、画面下部に配置されるが、輝度の大小を可視化したバーの端部に画像Ｍ２１，Ｍ２２を配置することによって、上シフトスイッチＳＷ１１と下シフトスイッチＳＷ１２の機能を一層、容易に理解しやすくなるようにしている。したがって、上シフトスイッチＳＷ１１を押下すると、輝度が大きく設定されるとともに、ハッチング付きセグメントの割合が多くなり、下シフトスイッチＳＷ１２を押下すると、輝度が小さく設定されるとともに、ハッチング付きセグメントの割合が少なくなる。この輝度調整が終了した場合、決定スイッチＳＷ１４の押下によって輝度調整の設定がなされ、上位のタブメニュー選択画面Ｌ１に遷移する。
【００４４】
ここで、ユーザは、調整中に、再度、輝度のデフォルト位置（大きさ）に設定したい場合があり、この場合、画面操作スイッチのうち、この画面で使用されないメニュースイッチＳＷ１５を、輝度をデフォルト位置に設定する機能に対応させている。この輝度のデフォルト位置への設定機能に対応する画像Ｍ３０は、下矢印形状の画像であり、画面上に表示されたメニュースイッチＳＷ１５に対応する画像Ｍ５に対応づけて左隣に配置している。そして、この画像Ｍ３０の画像と同様な画像Ｍ３１をバーのデフォルト位置を指示する位置に配置している。したがって、ユーザは、画像Ｍ３１によって輝度のデフォルト位置を知ることができるとともに、メニュースイッチＳＷ１５の押下によって一挙に輝度をデフォルト位置にリセットすることができる。
【００４５】
なお、図１０に示すようにメニュースイッチＳＷ１５に対応する画面上の画像Ｍ５と、メニュースイッチＳＷ１５に対応づけられた機能を表す画面上の画像Ｍ１０とは、隣接配置されるが、この画像Ｍ５と画像Ｍ１０との間は、好ましくは、結合を示す画像Ｍ１０ａによって結ばれている。この画像Ｍ１０ａを表示することによって、ユーザにとって一層、メニュースイッチＳＷ１５に対応づけられた機能を容易に理解することができる。
【００４６】
また、この画像Ｍ１０は、画面の背景画像の輝度に比して一部あるいは全部が大きな輝度をもつ画像とすることによって、強調表示することが好ましい。強調表示は、その他、背景に対する色相の変化を大きくしたものや、時間的に変化させるブリンク表示としてもよい。このような強調表示をすることによって、大きな画面上の一部である画像Ｍ１０を容易に見出すことができ、ユーザのスイッチ機能の認識を迅速に行うことができる。
【００４７】
ところで、上述したタブメニュー選択画面Ｌ１は、タブ画面として表示しているが、新たな機能のタブ画面をオプションとして追加することができる。これによって、一層、柔軟な選択設定処理を行うことができる。
【符号の説明】
【００４８】
１  コンソール
２  ハンドル
１０  表示装置
１１  表示部
１２  ＬＥＤユニット
１３  メータユニット
１４  スイッチパネル
１５  スイッチ群
１６ａ，１６ｂ  吹出口
１７  表示制御部
１８  制御部
２１，３１，４１  センサ群
２２，３２，４２  アクチュエータ群
３０  エンジンコントローラ
４０  車体コントローラ
Ｌ０  標準画面
Ｌ１，Ｌ１１〜Ｌ１５，Ｌ１５１〜Ｌ１５５  タブメニュー選択画面
Ｌ２，Ｌ４，Ｌ２１，Ｌ２２  サブ選択画面
Ｌ３，ＬＰ３１，ＬＰ３２  ポップアップ画面
Ｍ１〜Ｍ５，Ｍ１０，Ｍ１０ａ，Ｍ２１，Ｍ２２，Ｍ３０，Ｍ３１  画像
ＳＷ１１  上シフトスイッチ
ＳＷ１２  下シフトスイッチ
ＳＷ１３  戻りスイッチ
ＳＷ１４  決定スイッチ
ＳＷ１５  メニュースイッチ
【図１】
0005189159.tif 000002
【図２】
0005189159.tif 000003
【図３】
0005189159.tif 000004
【図４】
0005189159.tif 000005
【図５】
0005189159.tif 000006
【図６】
0005189159.tif 000007
【図７】
0005189159.tif 000008
【図８】
0005189159.tif 000009
【図９】
0005189159.tif 000010
【図１０】
0005189159.tif 000011